(57)【要約】【課題】ネットワークを使用して複数の提出先に係る複数種類の印刷物の印刷に関する情報を端末装置に供給して印刷物の印刷を行う印刷システムで、提出先に応じた複数種類の印刷物の作成手続を簡略化できるようにする。【解決手段】サーバ装置２の入力事項記憶部１４及び印刷フォーム記憶部１５に提出先に係る複数種類の印刷物の印刷に必要な入力事項を入力するための入力画面及び入力事項がオーバーレイされる印刷フォームデータを記憶し、端末装置３に印刷物の提出先の所在地域に基づいて印刷物の種類を選択するための階層的選択画面を送信して表示させると共に、該選択画面を介してユーザによる印刷物の種類選択を受け付ける。端末装置３から受け付けた印刷物の種類に対応する入力画面及び印刷フォームデータを端末装置３に供給し、端末装置３では入力画面に入力事項を入力して印刷フォームにオーバーレイしプリンタ装置４で印刷する。【選択図】    図１
2004258789.tif 000002
【特許請求の範囲】
【請求項１】
複数の提出先に係る複数種類の印刷物の印刷に関する情報を、ネットワークを介して端末装置に供給するサーバ装置であって、
ユーザが端末装置から印刷物の印刷に必要な入力事項を入力するための入力画面のデータを前記各印刷物に対応して記憶する入力事項記憶手段と、
入力事項がオーバーレイされる印刷フォームデータを前記各印刷物に対応して記憶する印刷フォーム記憶手段と、
印刷物の提出先の所在地域の選択に基づいて印刷物の種類を選択するための選択画面のデータを記憶する選択画面記憶手段と、
前記選択画面記憶手段に記憶された選択画面のデータをネットワークを介して端末装置に送信して、該端末装置に選択画面を表示させると共に、該選択画面を介してユーザによる印刷物の種類の選択を受け付ける受付手段と、
前記受付手段により受け付けた印刷物の種類に対応する前記入力画面のデータ及び前記印刷フォームデータを前記入力事項記憶手段及び前記印刷フォーム記憶手段から読み出して端末装置に供給する供給手段と、
を備えることを特徴とするサーバ装置。
【請求項２】
前記選択画面記憶手段は、印刷物の提出先の所在地域を選択するための地図形式の地域選択画面及びその地域選択画面の下位の階層に属する特定地域に所在する提出先のリスト画面からなる選択画面の表示データを記憶することを特徴とする請求項１に記載のサーバ装置。
【請求項３】
前記選択画面記憶手段は、印刷物の提出先の所在地域を選択するための階層構造からなる地名選択画面の表示データを記憶することを特徴とする請求項１に記載のサーバ装置。
【請求項４】
前記選択画面記憶手段は、印刷物の提出先の所在地域を文字入力する選択画面の表示データを記憶することを特徴とする請求項１に記載のサーバ装置。
【請求項５】
前記印刷フォーム記憶手段は、同一印刷物上での複数の各印刷箇所に対応する複数の印刷フォームデータを記憶することを特徴とする請求項１に記載のサーバ装置。
【請求項６】
更に、印刷フォーム上での入力事項の配置位置を含む印刷条件のデータを印刷物の種類に対応して記憶する印刷条件記憶手段を備え、
前記供給手段は、前記受付手段により受け付けた選択された印刷物の種類に対応する印刷条件のデータを、前記入力画面のデータ及び前記印刷フォームデータと共に端末装置に供給することを特徴とする請求項１ないし請求項５の何れか１項に記載のサーバ装置。
【請求項７】
更に、印刷フォーム上での文字のフォント情報を含んだ印刷条件のデータを記憶する印刷条件記憶手段を備え、
前記供給手段は、前記受付手段により受け付けた選択された印刷物の種類に対応する印刷条件のデータを、前記入力画面のデータ及び前記印刷フォームデータと共に端末装置に供給することを特徴とする請求項１ないし請求項５の何れか１項に記載のサーバ装置。
【請求項８】
複数の提出先に係る複数種類の印刷物の印刷情報を、ネットワークを介してサーバ装置から端末装置に供給する方法であって、
前記各印刷物に対応して、ユーザが端末装置から印刷物の印刷に必要な入力事項を入力するための入力画面のデータ及び入力事項がオーバーレイされる印刷フォームデータを蓄積するステップと、
印刷物の提出先の所在地域の選択に基づいて印刷物の種類を選択するための選択画面のデータをネットワークを介して端末装置に送信して、該端末装置に選択画面を表示させると共に、該選択画面を介してユーザによる印刷物の種類の選択を受け付けるステップと、
端末装置から受け付けた印刷物の種類に対応する前記入力画面のデータ及び前記印刷フォームデータを端末装置に供給するステップと、
を備えることを特徴とする印刷情報の供給方法。
【請求項９】
サーバ装置からネットワークを介して供給される情報に基づいて提出先に対応する印刷形式により印刷物の印刷を行うべくプリンタ装置を制御する端末装置であって、
サーバ装置から提示される提出先の地域選択に基づく選択要求に応じて印刷物の種類を選択して、その選択情報をサーバ装置に送信する選択手段と、
前記選択手段による選択に応答してサーバ装置から送信される、選択された印刷物の印刷に必要な入力事項の入力画面のデータ及び入力事項がオーバーレイされる印刷フォームデータを受信する受信手段と、
前記入力画面を表示するとともに、入力事項の入力編集を行う入力編集手段と、
前記入力編集手段により入力編集された入力事項を前記印刷フォームデータにオーバーレイして合成データを生成する合成手段と、
前記合成手段により生成した合成データの印刷を行うべくプリンタ装置に合成データを転送するとともに、プリンタ装置の印刷を制御する印刷制御手段と、
を備えることを特徴とする端末装置。
【請求項１０】
前記合成手段は、前記サーバ装置から受信する同一印刷物上の複数箇所に対応する各印刷フォームデータに前記入力事項をオーバーレイして複数の合成データを生成し、
前記印刷制御手段は、前記合成手段により生成された複数の合成データをプリンタ装置に順次転送する一方、合成データの印刷毎に印刷媒体上での印刷領域を異なる領域に設定するための制御信号をプリンタ装置に対して転送することを特徴とする請求項９に記載の端末装置。
【請求項１１】
前記合成手段は、前記サーバ装置から受信する印刷フォーム上での入力事項の配置位置を含む印刷条件のデータに示される配置位置に配置されるように、各入力事項を印刷フォームデータにオーバーレイして合成データを生成することを特徴とする請求項９又は請求項１０に記載の端末装置。
【請求項１２】
サーバ装置からネットワークを介して供給される情報に基づいて提出先に対応する印刷形式により印刷物の印刷を行うべくプリンタ装置を制御する印刷制御方法であって、
サーバ装置から提示される提出先の地域選択に基づく選択要求に応じて印刷物の種類を選択して、その選択情報をサーバ装置に送信する選択ステップと、
印刷物の種類の選択に応答してサーバ装置から送信される、選択された印刷物の印刷に必要な入力事項の入力画面のデータ及び入力事項がオーバーレイされる印刷フォームデータを受信する受信ステップと、
前記入力画面を表示するとともに、入力事項の入力編集を行う入力編集ステップと、
入力編集された入力事項を前記印刷フォームデータにオーバーレイして合成データを生成する合成ステップと、
生成した合成データの印刷を行うべくプリンタ装置に合成データを転送するとともに、プリンタ装置の印刷を制御する印刷制御ステップと、
を備えることを特徴とする印刷制御方法。
【請求項１３】
前記合成ステップは、前記サーバ装置から受信する同一印刷物上の複数箇所に対応する各印刷フォームデータに前記入力事項をオーバーレイして複数の合成データを生成し、
前記印刷制御ステップは、生成された複数の合成データをプリンタ装置に順次転送する一方、合成データの印刷毎に印刷媒体上での印刷領域を異なる領域に設定するための制御信号をプリンタ装置に対して転送することを特徴とする請求項１２に記載の印刷制御方法。
【請求項１４】
前記合成ステップは、前記サーバ装置から受信する印刷フォーム上での入力事項の配置位置を含む印刷条件のデータに示される配置位置に配置されるように、各入力事項を印刷フォームデータにオーバーレイして合成データを生成することを特徴とする請求項１２又は請求項１３に記載の印刷制御方法。
【請求項１５】
ネットワークを介して通信可能な端末装置と、該端末装置とネットワークを介して通信可能なサーバ装置と、前記端末装置に接続されたプリンタ装置とを備え、複数の提出先に対応する複数種類の印刷物の印刷を行うための印刷システムであって、
前記サーバ装置は、ユーザが端末装置から印刷物の印刷に必要な入力事項を入力するための入力画面のデータを前記各印刷物に対応して記憶する入力事項記憶手段と、入力事項とオーバーレイされる印刷フォームデータを前記各印刷物に対応して記憶する印刷フォーム記憶手段と、印刷物の提出先の所在地域の選択に基づいて印刷物の種類を選択するための選択画面のデータを記憶する選択画面記憶手段と、前記選択画面記憶手段に記憶された選択画面のデータをネットワークを介して端末装置に送信して、該端末装置に選択画面を表示させると共に、該選択画面を介してユーザによる印刷物の種類の選択を受け付ける受付手段と、前記受付手段により受け付けた印刷物の種類に対応する前記入力画面のデータ及び前記印刷フォームデータを前記入力事項記憶手段及び前記印刷フォーム記憶手段から読み出して端末装置に供給する供給手段を具備し、
前記端末装置は、前記サーバ装置から提示される選択画面に基づく選択要求に応じて印刷物の種類を選択して、その選択情報をサーバ装置に送信する選択手段と、前記選択手段による選択に応答してサーバ装置から送信される入力画面のデータ及び印刷フォームデータを受信する受信手段と、前記入力画面を表示するとともに、入力事項の入力編集を行う入力編集手段と、前記入力編集手段により入力編集された入力事項を前記印刷フォームデータとオーバーレイして合成データを生成する合成手段と、前記合成手段により生成した合成データの印刷を行うべくプリンタ装置に合成データを転送するとともに、プリンタ装置の印刷を制御する印刷制御手段とを具備し、
更に、前記プリンタ装置は、前記端末装置から転送される合成データを印刷媒体に印刷する印刷手段を備えることを特徴とする印刷システム。
【発明の詳細な説明】
【０００１】
【発明の属する技術分野】
本発明は、ネットワークを使用して複数の提出先に係る複数種類の印刷物の印刷に関する情報を端末装置に供給して印刷物の印刷を行う、印刷システム、そのサーバ装置及び端末装置並びに印刷情報の供給方法及び印刷制御方法に関する。
【０００２】
【従来の技術】
従来より、市町村等の地方自治体では、当該各自治体が開設するインターネットのホームページ上から各種書類の発行を申請するための申請書のデータをダウンロードできるようにしており、これらの申請書類を入手できるようにしている。書類の発行を希望する住民は、ホームページ上から必要なデータをダウンロードして用紙にプリントし、そこに必要事項を記入した上で自治体の申請窓口に提出する。このようなネットワークを利用したシステムにより、住民は書類発行の前提となる申請書を入手するために担当窓口まで出向かなくともよく便利である。
【０００３】
また、国や地方自治体が発注する土木・建築工事等の公共事業を請け負った業者は、その発注先に対して、図面や写真等を含む報告書にまとめて工事の計画や完成の報告を行っている。従来、これらの報告書は、紙に印字しあるいは写真を台紙に貼り付けて作成していたが、最近、報告内容を文字データや画像データ等の電子データとして作成し、これをＣＤ−Ｒ等の光ディスクに書き込んで発注者に提出すること（電子納品）が行われようとしている。
【０００４】
そして、この電子納品に係る光ディスクには、そのレーベル面に報告に関する表題等の所定の事項を表記するものであるが、そこに表記する事項やその配置位置等の様式が発注者の報告書類の種類毎に定められており、電子納品を行う工事業者等は、データを記録した光ディスクのレーベル面に定められた様式に従ってタイトル等を含む必要事項をパーソナルコンピュータを使って入力するとともに、光ディスクへの印刷が可能な専用のプリンタ装置を使って印刷を行うものであった。
【０００５】
【発明が解決しようとする課題】
前記電子納品では、工事受注者は発注者の定めた光ディスクのレーベル面に対する印刷様式の情報を入手しなければならず、例えば、複数の発注者に電子納品する場合には、その都度それらの発注者に対応した印刷様式の情報を収集しなければならず面倒であった。また、収集した印刷様式の情報に基づいてパーソナルコンピュータを使って文字の入力を行うと共に、必要印刷項目の配置位置を設定しなければならず、これらの入力編集作業が面倒であった。更に、前記入力編集作業では必要事項の漏れや配置位置の間違い等の入力編集のミスが発生しやすく、折角光ディスクにデータを記録しても光ディスクのレーベル面にミス印刷を行って光ディスクを無駄にしてしまう等の不都合を生じる虞が多々あった。
【０００６】
また、前記申請書式をダウンロードする場合には、所望の地方自治体に直接アクセスしなければならず、その所望の自治体のサイトを探して申請書類のダウンロード画面にアクセスすることが少なからず面倒であった。また、その必要とする書式をダウンロードし、これを一旦用紙にプリントした上で、その用紙に必要事項を記入しなければならないため、申請書類の作成が面倒であった。
【０００７】
本発明は前記従来の実情に鑑みてなされたものであり、本発明の目的は、提出先に応じた複数種類の印刷物の作成手続を簡略化できるようにすることにある。
【０００８】
【課題を解決するための手段】
上記課題を解決するために、本発明では、サーバ装置に、提出先に係る複数種類の印刷物の印刷に必要な入力事項を入力するための入力画面のデータ及び入力事項がオーバーレイされる印刷フォームデータを記憶しておき、端末装置に、印刷物の提出先の所在地域の選択に基づいて印刷物の種類を選択するための選択画面のデータを送信して、端末装置に選択画面を表示させると共に、選択画面を介してユーザによる印刷物の種類の選択を受け付け、端末装置から受け付けた印刷物の種類に対応する入力画面のデータ及び印刷フォームデータを端末装置に供給し、端末装置では、入力画面に入力事項を入力し、この入力事項を印刷フォームにオーバーレイし、このデータをプリンタ装置で印刷する。従って、従来に比べて所定の印刷様式をもつ印刷物の作成作業が簡略化でき手間を削減することができる。
【０００９】
【発明の実施の形態】
前述のように、国や地方自治体が発注する土木・建築工事等の公共事業を請け負った業者が、その発注先である国や地方自治体に対して、電子納品により図面や写真等を含む工事の計画や完成の報告を電子データにより提出することが行われている。
【００１０】
本発明の実施の形態は、電子納品に係る電子データを記録するＣＤ−Ｒ等の記録媒体（以下光ディスクという）のレーベル面に報告に関する表題等の所定の事項を印刷により表記する印刷システムに関するものであり、以下に図面を参照しながら説明する。
【００１１】
なお、光ディスクのレーベル面への表記事項の様式（印刷形式）は、その電子納品の提出先である国や地方自治体で予め定められている。
【００１２】
図１は本発明の一実施形態における印刷システム及びそのサーバ装置の構成を模式的に示す図である。
【００１３】
図１に示すように、この印刷システムは、インターネット１に接続されたサーバ装置２と複数のパーソナルコンピュータ等からなる端末装置３と、端末装置３に接続されたプリンタ装置４で構成される。なお、プリンタ装置４は、後に述べるように、ＣＤ―Ｒのレーベル面に印刷可能な機能を有するプリンタである。
【００１４】
サーバ装置２には、制御部１１、プログラム記憶部１２、選択画面記憶部１３、入力事項記憶部１４、印刷フォーム記憶部１５、印刷条件記憶部１６、送信部１７及び受信部１８等が設けられている。
【００１５】
制御部１１は、ＣＰＵからなり、プログラム記憶部１２に記憶されたプログラムを読み込むことで、そのプログラムに記述された手順に従って本システムに関する処理を実行する。
【００１６】
選択画面記憶部１３には、提出先の電子納品の種類に応じてその電子納品に表記する印刷物（光ディスクのレーベル面に施した印刷）の種類を選択するために端末装置３に表示される選択画面の表示データが記憶される。この選択画面は、提出先の所在地域の選択に基づいて印刷物の種類を選択するようにされている。
【００１７】
図４（ａ）〜（ｃ）は、選択画面記憶部１３に記憶される表示データに基づいて表示される表示画面を示すものであり、順に大地域から小地域を選択し、最終的に提出先の電子納品の種類（印刷物の種類）を選択する階層構造を有している。例えば、図４（ａ）の最上層の選択画面Ｇ１は、地方名とともに国内各地方に区分された日本全図の略地図を表示しており、この選択画面Ｇ１で「関東地方」を選択すると、図４（ｂ）の「関東地方」の地域略地図と共に都県名を表示した選択画面Ｇ２に切り換わり、更にその選択画面Ｇ２で「東京」を選択すると、図４（ｃ）のように「東京都」に所在する提出先名及び電子納品の種類を表示したリスト画面Ｇ３が表示される。
【００１８】
なお、図４では、特定の提出先に係る電子納品の選択を行うために地図形式の選択画面を用いているが、都道府県名リストからなる選択画面や市区町村名リストからなる選択画面を設けて、これらの選択画面を階層的に順に選択できるようにしてもよい。また、行政区画名や提出先名あるいは電子納品の種類名を直接文字入力する選択画面を設けて特定の電子納品の種類を選択できるようにしてもよい。
【００１９】
このようにして選択される各電子納品では、その電子データが記録される光ディスクのレーベル面には報告に関する表題等の事項が所定の形式で印刷により表記されることになるが、その印刷に関するデータは、下記のように、入力事項を入力するための入力画面のデータ、印刷フォーム上での入力事項の配置等を設定するための印刷条件のデータで構成される。これらのデータは、その電子納品毎に予め定められており、サーバ装置２にはそれらのデータが収集され蓄積されている。以下、各データについて説明する。
【００２０】
まず、入力事項記憶部１４には、ユーザが端末装置３から印刷物の印刷に必要な入力事項を入力するための入力画面のデータが各印刷物（電子納品）に対応して記憶される。
【００２１】
図５は入力事項記憶部１４に記憶されるデータに基づいて端末装置３で表示される入力画面を示している。
【００２２】
例えば、図５（ａ）は、国土交通省工事完成図面に関する入力画面のデータであり、「国土交通省工事完成図面」の電子納品の名称とともに、「工事番号」、「工事名称」、「作成年月」、「発注者名」、「請負者名」・・・「フォーマット形式」等の複数の必要な入力項目事項１４ａの文字列が表示され、それらの各入力項目事項１４ａの文字列の右側に枠で囲った入力欄１４ｂが設けられている。
【００２３】
更に、この入力画面の下部には印刷を指示する「印刷」ボタン１４ｃ、印刷結果のプレビューを行うための「プレビュー」ボタン１４ｄが設けられている。
【００２４】
図５（ｂ）は、東京都工事完成写真に関する入力画面のデータであり、「東京都工事完成写真」の電子納品の名称とともに、「年度」、「契約番号」、「工事箇所名」、「請負業社名」、「発注期間」等の複数の必要な入力項目事項１４ａの文字列が表示され、それらの各入力項目事項の文字列の右側に枠で囲った入力欄１４ｂが設けられている。
【００２５】
また、印刷フォーム記憶部１５には、ユーザが端末装置３から入力する入力事項のデータがオーバーレイされる印刷フォームデータが前記各印刷物に対応して記憶される。
【００２６】
図６及び図７は印刷フォーム記憶部１５に記憶される印刷フォームデータデータを説明する図である。
【００２７】
例えば、図６（ａ）、（ｂ）は、「国土交通省工事完成図面」の電子納品に係る印刷フォームを表しており、後に説明するように、プリンタ装置４により光ディスクの２箇所の印刷領域に印刷を行うため、各印刷領域に対応して図６（ａ）の第１の印刷フォームＦ１と図６（ｂ）の第２の印刷フォームＦ２を有している。
【００２８】
なお、図７（ａ）、（ｂ）は、「東京都工事完成写真」の電子納品に係る印刷フォームであり、同様にして図７（ａ）の第１の印刷フォームＦ１と図７（ｂ）の第２の印刷フォームＦ２を有している。
【００２９】
また、印刷条件記憶部１６には、印刷フォームＦｎ上での入力事項の配置位置や入力事項の文字フォント等を設定するための印刷条件のデータが印刷物の種類に対応して記憶されている。
【００３０】
また、送信部１７は、インターネット１を介して端末装置３に必要な情報を送信し、受信部１８はインターネット１を介して端末装置３から必要な情報を受信する。
【００３１】
ここで、プリンタ装置４の構成について説明する。
【００３２】
図２はプリンタ装置の構成を説明する平面図である。
【００３３】
このプリンタ装置４のケース２０の内部には、ターンテーブル２２を有するトレイ２１が設けられ、トレイ２１に支持された光ディスクのレーベル面に印刷を行なうプリンタ部３２が設けられている。
【００３４】
このトレイ２１は、一方の側縁にラック２３が設けられている一方、ラック２３と噛み合う駆動ギア２４およびギア列２５を介して駆動ギア２４を回転させるトレイ駆動モータ２６により装置内外に移動可能に設けられている。ターンテーブル２２は、ギア列２７を介してトレイ回転モータ２８の駆動力が回転軸２９に伝達されることにより回転駆動される。また、ターンテーブル２２の回転停止位置を決めるために回転位置検出スイッチ３０が設けられ、ターンテーブル２２の外周縁に１８０°の間隔で設けたスイッチ作用部３１ａ、３１ｂによって作動されてトレイ回転モータ２８が制御される。
【００３５】
また、プリンタ部３２はターンテーブル２２と対向して設けられ、ブリッジ形状のプリンタフレーム３３を備え、このプリンタフレーム３３によってサーマルヘッド３４を搭載したキャリッジ３５を支持すると共に、キャリッジ３５に設けたキャリッジモータ３６によって駆動される駆動ギアと噛み合うラックを備えてキャリッジ３５をターンテーブル２２に沿って往復走行させる走行路を形成している。また、キャリッジ３５には熱転写印刷のためのインクリボンを収容したリボンカートリッジ３７が装着される。
【００３６】
このプリンタ装置４では、ターンテーブル２２が停止した状態で、プリンタ部３２によって光ディスクの第１の印刷領域に印刷を行う。その後、ターンテーブル２２を１８０°回転した後に停止してプリンタ部３２によって光ディスクの第２の印刷領域に印刷を行う。
【００３７】
次に、図３は端末装置とプリンタ装置のブロック図を示す。
【００３８】
端末装置３は、パーソナルコンピュータ（ＰＣ）であり、中央制御装置であるＣＰＵ（Ｃｅｎｔｒａｌ  Ｐｒｏｃｅｓｓｉｎｇ  Ｕｎｉｔ）４０を備え、このＣＰＵ４０は、ハードディスクやフラッシュメモリからなる記憶装置４１に記憶されたシステムプログラムに従って、ＲＡＭ４２をワークメモリとして各部の動作を制御する。
【００３９】
記憶装置４１には、この端末装置３の全体の動作を司るシステムプログラムが予め記憶されると共に、ユーザにより必要に応じてインストールされた文書処理プログラムやブラウザプログラム、そして本発明実施形態の印刷システムの導入によってインストールされた前記プリンタ装置４に対する印刷制御プログラムなど、種々のアプリケーションプログラムが記憶され、またサーバ装置２からダウンロードするデータが記憶される。
【００４０】
ＲＡＭ４２には、各種アプリケーションプログラムの実行に応じた作業用メモリが備えられ、入力事項１４ａのデータを記憶する入力事項メモリ４２ａ、印刷フォームデータＦｎに入力事項１４ａのデータをオーバーレイする合成メモリ４２ｂが備えられる。
【００４１】
そして、ＣＰＵ４０には、インターフェイス（Ｉ／Ｆ）４３を介してプリンタ装置４との接続を図るＵＳＢケーブル４４が接続され、また、キーボードコントローラ４５を介してキーボード４６が、表示コントローラ４７を介して表示装置４８が接続され、更にインターネット１を介してサーバ装置１とデータの送受信を行う通信部４９が設けられる。
【００４２】
一方、プリンタ装置４はコントローラ５０を備え、このコントローラ５０はインターフェイス（Ｉ／Ｆ）５１を介してＵＳＢケーブル４４に接続され、端末装置３と接続される。
【００４３】
前記コントローラ５０には、ＲＯＭ５２及びＲＡＭ５３が備えられ、ＲＯＭ５２には、端末装置３からの印刷制御信号に応じて当該プリンタ装置４の各部の動作を制御するためのシステムプログラムなどのプログラムデータが記憶され、また、ＲＡＭ５３には、前記端末装置３から送信された印刷データを記憶するための印刷データメモリが備えられる。
【００４４】
また、コントローラ５０には、ヘッドドライバ５４を介してサーマルヘッド３４が接続され、モータドライバ５６を介してキャリッジモータ３６が接続され、モータドライバ５７を介してトレイ移動モータ２６が接続され、モータドライバ５８を介してトレイ回転モータ２８が接続される。また、コントローラ５０には、トレイの回転位置検出スイッチ３０が接続される。
【００４５】
コントローラ５０は、前記端末装置３から送信される印刷データに応じてヘッド制御信号をヘッドドライバ５４に出力してサーマルヘッド３４を駆動させ、モータ制御信号をモータドライバ５６、５７、５８に出力してトレイ移動モータ２６、トレイ回転モータ２８、キャリッジモータ３６を駆動させる。
【００４６】
次に、前記構成の印刷システム及びそのサーバ装置の動作について説明する。
【００４７】
図１０はサーバ装置２による印刷情報の供給処理を示すフローチャートである。
【００４８】
まず、端末装置３からのアクセスがあるか否かを判断し（ステップＳ１）、アクセスありと判断した場合には、端末装置３の表示装置４８に表示させるべく、例えば図４（ａ）で示した地域選択画面Ｇ１のデータを送信する（ステップＳ２）。
【００４９】
端末装置３での地域選択画面Ｇ１による地域選択に基づく選択情報の受信があるか否かを判断し（ステップＳ３）、その選択情報の受信ありと判断されると、端末装置３の表示装置４８に表示させるべく、例えば図４（ｂ）で示した詳細地域選択画面Ｇ２のデータを送信する（ステップＳ４）。
【００５０】
端末装置３での詳細地域選択画面Ｇ２による詳細地域選択に基づく選択情報の受信があるか否かを判断し（ステップＳ５）、その選択情報の受信ありと判断されると、例えば図４（ｃ）で示すような当該選択された詳細地域に所在する提出先に係る電子納品の種類（印刷物の種類）のリスト画面Ｇ３を端末装置３の表示装置４８に表示させてその印刷物の種類の選択を促すべく当該リスト画面Ｇ３のデータを送信する（ステップＳ６）。
【００５１】
前記電子納品の種類（印刷物の種類）のリスト画面Ｇ３に基づく選択情報の受信が判断されると（ステップＳ７）、当該選択された印刷物の種類に係る入力画面のデータ（図５参照）、印刷フォームデータＦ１，Ｆ２（図６、図７参照）、印刷条件データを、入力事項記憶部１４、印刷フォーム記憶部１５、印刷条件記憶部１６から読み出し（ステップＳ８）、これらのデータを端末装置３に送信する（ステップＳ９）。
【００５２】
図１１は端末装置３における印刷情報のダウンロード処理及び光ディスクへの印刷制御処理を示すフローチャートである。
【００５３】
端末装置３を立ち上げサーバ装置２にアクセスする（ステップＳ１１）。
【００５４】
すると、サーバ装置２からダウンロードされた、例えば図４（ａ）で示した地域選択画面Ｇ１のデータが受信され（ステップＳ１２）、表示装置４８に表示される（ステップＳ１３）。
【００５５】
この表示装置４８に表示された地域選択画面Ｇ１に基づき地域の選択を行うと、この地域選択に基づく選択情報がサーバ装置２へ送信される（ステップＳ１４）。
【００５６】
すると、サーバ装置２からダウンロードされた、例えば図４（ｂ）で示した詳細地域選択画面Ｇ２のデータが受信され（ステップＳ１５）、表示装置４８に表示される（ステップＳ１６）。
【００５７】
この表示装置４８に表示された詳細地域選択画面Ｇ２に基づき詳細地域の選択を行うと、この詳細地域選択に基づく選択情報がサーバ装置２へ送信される（ステップＳ１７）。
【００５８】
すると、サーバ装置２からダウンロードされた、例えば図４（ｃ）で示すような選択詳細地域に所在する提出先に係る電子納品の種類（印刷物の種類）のリスト画面Ｇ３が受信され（ステップＳ１８）、表示装置４８に表示されてその印刷物の種類の選択が促される（ステップＳ１９）。
【００５９】
この表示装置４８に表示された電子納品の種類（印刷物の種類）のリスト画面Ｇ３に基づき印刷物の種類の選択を行うと、この選択情報がサーバ装置２へ送信される（ステップＳ２０）。
【００６０】
すると、サーバ装置２からダウンロードされた、前記選択した印刷物の種類に係る入力画面のデータ（図５参照）、印刷フォームデータＦ１，Ｆ２（図６、図７参照）、印刷条件データが受信される（ステップＳ２１）。
【００６１】
このようにしてダウンロードした各データは、端末装置３の記憶装置（ハードディスク）４１に書き込まれる（ステップＳ２２）。
【００６２】
そして、端末装置３では、ダウンロードした印刷情報を使って光ディスクのレーベル面に対する印刷を行う。
【００６３】
まず、例えば図５（ａ）で示すような入力画面のデータを表示装置４８に表示し、ユーザが必要な入力事項１４ａのデータを入力する（ステップＳ２３）。入力された入力事項１４ａのデータは、ＲＡＭ４２の入力事項メモリ４２ａに記憶される。
【００６４】
すると、全ての入力事項１４ａのデータの入力が完了したか否か判断され（ステップＳ２４）、全ての入力事項１４ａの入力が完了したと判断されると、ＲＡＭ４２内の合成メモリ４２ｂにおいて前記入力事項のデータが、例えば図６（ａ）（ｂ）で示すような印刷フォームデータＦ１，Ｆ２にオーバーレイされる（ステップＳ２５）。この場合、例えば図６（ａ）（ｂ）で示すような２つの印刷フォームデータＦ１，Ｆ２に基づき、光ディスクの上段と下段の各印刷領域に対応して２つの合成データが生成される。
【００６５】
しかして、プリンタ装置４に、光ディスクの上段印刷領域に対する、例えば前記図６（ａ）で示した印刷フォームデータＦ１に基づく合成データを印刷データとして転送すると共に、印刷開始指令を送信する（ステップＳ２６，Ｓ２７）。
【００６６】
プリンタ装置４での光ディスクの上段印刷領域への印刷が終了し、該プリンタ装置４から印刷終了の応答信号を受信すると、ターンテーブル２２の回転指令信号を送信する（ステップＳ２８，Ｓ２９）。
【００６７】
プリンタ装置４でターンテーブル２２が回転し、そのスイッチ作用部３１ａ又は３１ｂが回転位置検出スイッチ３０により検出されることで、この端末装置３においてターンテーブル２２の回転終了の応答信号を受信すると（ステップＳ３０）、さらに、プリンタ装置４に、光ディスクの下段印刷領域に対する、例えば前記図６（ｂ）で示した印刷フォームデータＦ２に基づく合成データを印刷データとして転送する（ステップＳ３１）。
【００６８】
プリンタ装置４での光ディスクの下段印刷領域への印刷が終了し、該プリンタ装置４から印刷終了の応答信号を受信すると、トレイ２１のイジェクト指令信号を送信する（ステップＳ３２，Ｓ３３）。
【００６９】
なお、光ディスクの下段印刷領域への前記印刷フォームデータＦ２に基づく合成データの印刷に際しては、その上下左右が反転された印刷データとして印刷出力され、前記上段印刷領域への印刷済みデータとの方向が合わされる。
【００７０】
プリンタ装置４でトレイ２１が外部に移動されることで、この端末装置３においてトレイ２１の移動終了の応答信号を受信すると（ステップＳ３４）、前記一連のダウンロード処理及び光ディスクへの印刷制御処理を終了する。
【００７１】
これにより、プリンタ装置４から外部に移動されたトレイ２１上には、例えば図８で示すように、上段印刷領域Ｈ１と下段印刷領域Ｈ２とに前記２つの印刷フォームデータＦ１，Ｆ２に基づく合成データのレーベル印刷が施された光ディスクＤが完成する。
【００７２】
図８は図５（ａ）における入力画面で入力したデータと図６（ａ）（ｂ）における印刷フォームデータＦ１，Ｆ２を合成してレーベル印刷された光ディスクＤを示す図である。
【００７３】
図９は図５（ｂ）における入力画面で入力したデータと図７（ａ）（ｂ）における印刷フォームデータＦ１，Ｆ２を合成してレーベル印刷された光ディスクＤを示す図である。
【００７４】
したがって、前記構成の印刷システム及びそのサーバ装置によれば、サーバ装置２の入力事項記憶部１４及び印刷フォーム記憶部１５に、提出先に係る複数種類の印刷物の印刷に必要な入力事項１４ａを入力するための入力画面のデータ及び入力事項１４ａのデータがオーバーレイされる印刷フォームデータＦｎを記憶しておき、端末装置３に、印刷物の提出先の所在地域の選択に基づいて印刷物の種類を選択するための選択画面Ｇ１〜Ｇ３のデータを送信して、端末装置３に選択画面Ｇ１〜Ｇ３を階層的に表示させると共に、選択画面Ｇ３を介してユーザによる印刷物の種類の選択を受け付ける。そして、端末装置３から受け付けた印刷物の種類に対応する入力画面のデータ及び印刷フォームデータＦｎを端末装置３に供給する。すると、端末装置３では、入力画面に入力事項を入力し、この入力事項を印刷フォームＦｎにオーバーレイし、このデータをプリンタ装置４で印刷するので、従来に比べて所定の印刷様式をもつ印刷物の作成作業が簡略化でき手間を削減することができる。
【００７５】
なお、前記実施形態では、提出先に係る印刷物の種類に応じてサーバ装置２から端末装置３にダウンロードした、必要な入力事項１４ａを入力するための入力画面、この入力画面にて入力した入力事項１４ａのデータを印刷データとして合成するための印刷フォームデータＦｎ、この合成印刷データの印刷書式を設定するための印刷条件データに基づき、例えば図８、図９で示したように、光ディスク用のプリンタ装置４で光ディスクＤの上段印刷領域Ｈ１と下段印刷領域Ｈ２に対して所定の印刷様式をもつ印刷物を簡単にレーベル印刷するものとして実施したが、このような光ディスクＤに対するレーベル印刷に限らず、次の図１２、図１３を参照して説明するように、提出先に係る印刷物の種類の対象を、例えば地方自治体に紙提出する各種の申請書類とし、前記実施形態同様の端末装置３における印刷情報のダウンロード処理及び通常プリンタ装置（図示せず）への印刷制御処理を行うことで、非常に簡単に自治体提出の書類作成を実現する構成としてもよい。
【００７６】
図１２は本発明の他の実施形態に係る自治体申請書用の入力画面を示す説明図である。
【００７７】
図１３は本発明の他の実施形態に係る自治体申請書用の印刷フォームを示す説明図である。
【００７８】
すなわち、端末装置３からサーバ装置２にアクセスして（ステップＳ１１）、選択的に表示される各地方自治体の各種申請書類の中から作成すべき申請書類を選択すると、当該サーバ装置２から端末装置３に対して、例えば図１２で示すような選択した申請書に対する入力項目事項１４ａとデータ入力欄１４ｂを記述した入力画面のデータ、及び図１３で示すような当該申請書の印刷フォームデータＦ、及び当該申請書について予め文字サイズや文字フォントなどの印刷条件を定めた印刷条件データがダウンロードされる（ステップＳ１２〜Ｓ２２）。
【００７９】
そして、前記サーバ装置２からダウンロードした申請書の入力画面のデータ（図１２参照）に従って各入力事項１４ａのデータを入力すると（ステップＳ２３，Ｓ２４）、この各入力事項１４ａの入力データが当該申請書の印刷フォームデータＦ（図１３参照）にオーバーレイされて合成され、印刷データが生成される（ステップＳ２５）。
【００８０】
すると、この申請書の印刷データは、端末装置３０に接続された通常のプリンタ装置（図示せず）に転送され、当該プリンタ装置内の印刷紙に印刷されて排出される。
【００８１】
これにより、電子納品用の光ディスクに対する所定の印刷様式をもつ印刷物の作成作業の簡略化だけでなく、例えば地方自治体に紙提出する各種の申請書類の作成も非常に簡単に行い、手間の削減を実現することができる。
【００８２】
なお、前記実施形態において記載した印刷システムによる各処理の手法、すなわち、図１０のフローチャートに示すサーバ装置２による印刷情報の供給処理、図１１のフローチャートに示す端末装置３における印刷情報のダウンロード処理及び光ディスクＤへの印刷制御処理などの各手法は、何れもコンピュータに実行させることができるプログラムとして、メモリカード（ＲＯＭカード、ＲＡＭカード、ＤＡＴＡ・ＣＡＲＤ等）、磁気ディスク（フロッピディスク、ハードディスク等）、光ディスク（ＣＤ−ＲＯＭ、ＤＶＤ等）、半導体メモリ等の外部記録媒体に格納して配布することができる。そして、通信ネットワーク（インターネット）１との通信機能を備えた種々のコンピュータ端末は、この外部記録媒体に記憶されたプログラムを内部メモリに読み込み、この読み込んだプログラムによって動作が制御されることにより、前記各実施形態において説明した印刷機能を実現し、前述した手法による同様の処理を実行することができる。
【００８３】
また、前記各手法を実現するためのプログラムのデータは、プログラムコードの形態として通信ネットワーク（インターネット）１上を伝送させることができ、この通信ネットワーク（インターネット）１に接続されたコンピュータ端末から前記のプログラムデータを取り込み、前述した印刷機能を実現することもできる。
【００８４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８５】
【発明の効果】
以上のように、本発明によれば、サーバ装置に、提出先に係る複数種類の印刷物の印刷に必要な入力事項を入力するための入力画面のデータ及び入力事項がオーバーレイされる印刷フォームデータを記憶しておき、端末装置に、印刷物の提出先の所在地域の選択に基づいて印刷物の種類を選択するための選択画面のデータを送信して、端末装置に選択画面を表示させると共に、選択画面を介してユーザによる印刷物の種類の選択を受け付ける。そして、端末装置から受け付けた印刷物の種類に対応する入力画面のデータ及び印刷フォームデータを端末装置に供給し、端末装置では、入力画面に入力事項を入力し、この入力事項を印刷フォームにオーバーレイし、このデータをプリンタ装置で印刷する。
【００８６】
従って、従来に比べて提出先に応じて所定の印刷様式をもつ複数種類の印刷物それぞれの作成作業を簡略化でき、手間を削減することができる。
【図面の簡単な説明】
【図１】本発明の一実施形態における印刷システム及びそのサーバ装置を模式的に示す図。
【図２】プリンタ装置の構成説明する平面図。
【図３】端末装置とプリンタ装置のブロック図。
【図４】図４（ａ）〜（ｃ）は選択画面の説明図。
【図５】図５（ａ）、（ｂ）は入力画面の説明図。
【図６】図６（ａ）、（ｂ）は印刷フォームの説明図。
【図７】図７（ａ）、（ｂ）は印刷フォームの他例の説明図。
【図８】印刷例の説明図。
【図９】他の印刷例の説明図。
【図１０】サーバ装置の印刷情報の供給処理を示すフローチャート。
【図１１】端末装置の印刷情報のダウンロード処理及び光ディスクへの印刷制御処理を示すフローチャート。
【図１２】本発明の他の実施形態における入力画面の説明図。
【図１３】同じく印刷フォームの説明図。
【符号の説明】
１  …インターネット
２  …サーバ装置
３  …端末装置
４  …プリンタ装置
１１  …制御部
１２  …プログラム記憶部
１３  …選択画面記憶部
１４  …入力事項記憶部
１４ａ…入力項目事項
１４ｂ…入力欄
１４ｃ…「印刷」ボタン
１４ｄ…「プレビュー」ボタン
１５  …印刷フォーム記憶部
１６  …印刷条件記憶部
１７  …送信部
１８  …受信部
２０  …ケース
２１  …トレイ
２２  …ターンテーブル
２６  …トレイ駆動モータ
２８  …トレイ回転モータ
２９  …回転軸
３０  …回転位置検出スイッチ
３１ａ，３１ｂ…スイッチ作用部
３２  …プリンタ部
３３  …プリンタフレーム
３４  …サーマルヘッド
３５  …キャリッジ
３６  …キャリッジモータ
３７  …リボンカートリッジ
４０  …ＣＰＵ（Ｃｅｎｔｒａｌ  Ｐｒｏｃｅｓｓｉｎｇ  Ｕｎｉｔ）
４１  …記憶装置
４２、５３…ＲＡＭ
４２ａ…入力事項メモリ
４２ｂ…合成メモリ
４３、５１…インターフェイス（Ｉ／Ｆ）
４４  …ＵＳＢケーブル
４５  …キーボードコントローラ
４６  …キーボード
４７  …表示コントローラ
４８  …表示装置
４９  …通信部
５０  …コントローラ
５２  …ＲＯＭ
５４〜５８…ドライバ
Ｇ１  …地域選択画面
Ｇ２  …詳細地域選択画面
Ｇ３  …リスト画面
Ｆ１  …第１の印刷フォーム
Ｆ２  …第２の印刷フォーム
Ｄ    …光ディスク
Ｈ１  …上段印刷領域
Ｈ２  …下段印刷領域
【図１】
2004258789.tif 000003
【図２】
2004258789.tif 000004
【図３】
2004258789.tif 000005
【図４】
2004258789.tif 000006
【図５】
2004258789.tif 000007
【図６】
2004258789.tif 000008
【図７】
2004258789.tif 000009
【図８】
2004258789.tif 000010
【図９】
2004258789.tif 000011
【図１０】
2004258789.tif 000012
【図１１】
2004258789.tif 000013
【図１２】
2004258789.tif 000014
【図１３】
2004258789.tif 000015